(57)【要約】      （修正有）【課題】ヘッドカバーからウッド（ドライバー）やアイアン等を取り出す際に容易に取り出し易い構成のヘッドカバーを提供するとともに、ゴルフバッグの中に収納しているウッドやアイアン等をヘッドカバーごと取り出す際に、取り出し易い構造であって、体裁の良好なゴルフクラブのヘッドカバーを提供する。【解決手段】ヘッドカバー本体１は、クラブヘッドのソール部からネック部を覆うソール覆部２０と、クラブヘッドのフェイス面からフェイス面と対向するクラブ背面にかけてそれぞれを覆う周面覆部３０、３１と、クラブのトウからクラウンを経てネック部を覆うクラウン覆部と、クラブヘッドを固定するネック部、及びシャフト先端部を覆うネック覆部５０とよりなり、周面覆部の一か所又は複数箇所の周面を外側に膨出する方向に形成した指掛孔部３０ａ、３１ａを設けたことより構成している。【選択図】図１
0003158802.tif 000002
【実用新案登録請求の範囲】
【請求項１】
ヘッドカバー本体は、クラブヘッドのソール部からネック部を覆うソール覆部と、クラブヘッドのフェイス面からフェイス面と対向するクラブ背面にかけてそれぞれを覆う周面覆部と、クラブのトウ側からクラウンを経てネック部を覆うクラウン覆部と、クラブヘッドを固定するネック部、及びシャフト先端部を覆うネック覆部とよりなり、
周面覆部の一か所又は複数箇所の周面を外側に膨出する方向に形成した指掛孔部を設けたことを特徴とするゴルフクラブのヘッドカバー。
【請求項２】
請求項１記載の指掛孔部を、フェイス面及びフェイス面と対向するクラブ背面の一方又は双方の周面覆部に設けたことを特徴とするゴルフクラブのヘッドカバー。
【請求項３】
請求項１又は２記載の周面覆部により形成する指掛孔部をヒール側に向かって設けたことを特徴とするゴルフクラブのヘッドカバー。
【考案の詳細な説明】
【技術分野】
【０００１】
本考案は、ゴルフクラブのヘッドカバーに関するものである。
【背景技術】
【０００２】
ゴルフバッグの中に、ウッド（ドライバー）やアイアンセット等多数のゴルフクラブが収納されている。
そして、多数のゴルフクラブが収納されていることより、クラブヘッド同士が当たる場合があり、クラブヘッドにヘッドカバーを設ける場合が多い。
一般にゴルフクラブのヘッドカバーは、全体的に、クラブヘッドを覆いクラブヘッド保護する部分と、クラブヘッド保護部が脱落を防止するための保持部からなる。そして、この保持部を例えば、特許文献１に示すように、ニット編み物等の伸縮性素材により構成さるもの、或いは特許文献２に示すように、ゴルフクラブのヘッド部を収納するヘッド部収納部とゴルフクラブのシャフト部を収納するシャフト部収納部とを一体に形成するとともに、シャフト部収納部をシャフトの収納方向に沿って形成した二ヶ所の開閉部に面状ファスナーを附設し、ゴルフクラブの引き出しを容易にする構成とがある。
また、特許文献３はゴルフクラブのヘッドカバーに収納するゴルフクラブのトウ部−ソール部−ネック部にかけてファスナーを設ける構成とし、ゴルフクラブを取り出し易い構成としている。また、特許文献４では、ヘッドカバ−体の頂部外周を開閉できるように分割してカバ−部とキャップ部を形成し、かつ当該カバ−部のシャフト嵌合部位にキャップを開けて上方向から出し入れするウッドクラブのグリップ部位が挿通できる内径を有する保型筒体を装着し構成としたものが記載されている。
【先行技術文献】
【特許文献】
【０００３】
【特許文献１】特開２００３−０６２１３７号公報
【特許文献２】特開２００２−０９５７７９号公報
【特許文献３】特開平０６−２６１９６２号公報
【特許文献４】実開平０６−０２６９３５号公報
【特許文献５】実用新案登録第３１２４５４８号公報
【特許文献６】実用新案登録第３１５４４９４号公報
【考案の概要】
【考案が解決しようとする課題】
【０００４】
多数のゴルフクラブ内のクラブヘッドにヘッドカバーを設けているが、使用時にこのヘッドカバーを取り外して使用するが、最近の大容量化したゴルフクラブにおいて、クラブヘッドの容積が４６０ｃｃ前後のものが主流となり、クラブヘッドを収納するヘッドカバーもこれに対応する必要がある。このため特許文献１に示すようにクラブヘッド保護部の脱落を防止するための保持部を、ニット編み物等の伸縮性素材により構成さるものにあっては、保持部からクラブヘッドからを取り出すとき、伸縮性素材の抵抗が大きくなる。このためクラブヘッドの大型化と相まってヘッドカバーが取り外しづらくなった。
また、ゴルフクラブを取り出し易くする技術として、前述の特許文献３の技術では、ゴルフクラブのヘッドカバーのファスナーを開くゴルフクラブ自体が取り出し易い構成となっている。しかしながらゴルフクラブのヘッドカバーを使用するのは前述のように、ゴルフクラブのヘッドカバーを使用することでゴルフクラブのヘッド同士があたり傷がつくことを防止することのほか、ゴルフクラブバックに収納したときの意匠的役割、即ちゴルフクラブの美的装飾を兼ねる場合が多く、購入者はクラブヘッドの保護は当然として、デザインの良否により購入する場合が多くなった。従って、特許文献３に示す技術では、美的装飾の点で課題が生じており、同様の課題が特許文献４でも生じている。
【０００５】
また、ゴルフクラブの大型化は、ゴルフバックに収納したウッド等のクラブを取り出す際に、クラブヘッドがつかみにくい状態となっている。
従って、ゴルフクラブをゴルフバックから引き抜いて使用する際に、まずヘッドカバーをつかみ引き抜く場合が多くなってきた。
このクラブからヘッドカバーを取り外す構造の技術ではないが、特許文献５に示す技術では、ヘッドカバーの紛失を防止する為に、保持用フックをクラブヘッドに設ける構成の技術があるが、ヘッドカバーは意匠的役割を果たしていることより体裁が悪くなる。
また、特許文献６に示す技術では、ヘッドカバーソール部の番手表示部の端部に、番手表示片を挿入する挿入口が形成される構成である。この挿入口を利用してウッド等のクラブを取り出す際に利用することも可能であるが、指を差し込みづらいこと、この部分を使用しやすいように大きくすることは、体裁が悪くなる欠点がある。
【０００６】
そこで本考案では、ヘッドカバーからウッド（ドライバー）やアイアン等を取り出す際に容易に取り出し易い構成のヘッドカバーを提供するとともに、ゴルフバッグの中に収納しているウッドやアイアン等をヘッドカバーごと取り出す際に、取り出し易い構造であって、体裁の良好なゴルフクラブのヘッドカバーを提供することを課題とする。
【課題を解決するための手段】
【０００７】
本考案は、ヘッドカバー本体は、クラブヘッドのソール部からネック部を覆うソール覆部と、クラブヘッドのフェイス面からフェイス面と対向するクラブ背面にかけてそれぞれを覆う周面覆部と、クラブのトウ側からクラウンを経てネック部を覆うクラウン覆部と、クラブヘッドを固定するネック部、及びシャフト先端部を覆うネック覆部とよりなり、周面覆部の一か所又は複数箇所の周面を外側に膨出する方向に形成した指掛孔部を設けたことを特徴とする。
また、前記指掛孔部を、フェイス面及びフェイス面と対向するクラブ背面の一方又は双方の周面覆部に設けたもの、或いは指掛孔部をヒール側に向かって設けて形成したことを特徴とする。
【考案の効果】
【０００８】
本考案のゴルフクラブのヘッドカバーは、クラブヘッドのソール部を覆うソール覆部と、クラブヘッドのフェイス面からフェイス面と対向するクラブ背面にかけてそれぞれを覆う周面覆部と、クラブのトウ側からクラウンを覆うクラウン覆部と、ヘッドを先端に固定してネック部及びシャフト先端部を覆うネック覆部とよりなり、周面覆部の一か所又は複数箇所の周面を外側に膨出する方向に形成した指掛孔部を設ける構成であり、この指掛孔部にゴルファー又はキャディがこの部分に指を軽く挿入することが出来る為、ヘッドカバーをゴルフクラブから簡単に取り外すことが出来る。また、ゴルフクラブ自体もヘッドカバーごとゴルフバックから簡単に取り出すことが出来る。
このとき一方の指掛孔部に指を挿入しても良いが、フェイス面、及びフェイス面と対向するクラブ背面に設けた両方の指掛孔部に指を挿入すると、更に確実にヘッドカバーをゴルフクラブから簡単に取り出すことが出来る。
また、ヘッドカバー本体の周面覆部の指掛孔部を利用する形式であり、体裁良く製作でき、また指掛孔部を積極的にデザインとして利用すること、例えば指掛孔部を動物の耳の部分としてデザインすることも出来、意匠的価値を高めることが出来る。
更に、周面覆部により形成する指掛孔部をヒール側に向かって設けことができる。このように指掛孔部をヒール側に向かって設けることで、指掛孔部に指を挿入し、クラブのトウ側に引き抜くように力を加えることで、ヘッドカバーをゴルフクラブから簡単に取り外すことが出来る効果を有する。
更に、一般にゴルフバック等はゴルフカートに乗せて移動する場合が多く、ゴルフクラブの先端のトウ側が重心の関係から下方に向く場合が多く、ヒール側に指掛孔部を設けると、ゴルフバックからクラブを取り出し易くなる効果も有する。
【図面の簡単な説明】
【０００９】
【図１】図１は本考案の正面図である。
【図２】図２は本考案の側面図である。
【図３】図３は本考案の背面図である。
【図４】図４は本考案の平面図である。
【考案を実施するための形態】
【００１０】
以下、本考案を、フェアウェイウッド用のヘッドカバーに適用した実施の形態について図面を参照して説明する。
図１乃至図４に示すように、ヘッドカバー本体１を概略すると、クラブヘッドのソール部からネック部を覆うソール覆部２０と、クラブヘッドのフェイス面からフェイス面と対向するクラブ背面にかけてそれぞれを覆う周面覆部３０、３１と、クラブのトウからクラウンを経てネック部を覆うクラウン覆部４０と、ヘッドを先端に固定してネック部、及びシャフト先端部を覆うネック覆部５０とより構成している。
ここで、ヘッドカバー本体１の材質は全体的には、合成皮革や合成繊維、植物繊維、あるいはそれらの組み合わせなど、従来公知の適宜材料が使用可能である。そして、図において一般的には、クラウン覆部４０の一部（ネック覆部５０と同様の陰影線で塗りつぶした部分）、及びネック覆部５０の部分はニット編み物等の伸縮性素材により構成されており、ヘッドカバーをゴルフクラブから取り外すときは、ヘッドカバー上部等の適宜位置を把持しクラブヘッドのトウ側に引き抜くように力を加えると、ニット編みの部分が伸びることでヘッドカバーをゴルフクラブから取り外すことが出来る。
【００１１】
次に、ヘッドカバー本体１の周面覆部３０、３１の、周面覆部の一か所、又は複数箇所の周面の適宜位置に、例えばフェイス面及びフェイス面と対向するクラブ背面に外側に向かって膨出する方向に形成した指掛孔部３０ａ、３１ａを設けている。
この指掛孔部３０ａ、３１ａは、前述の周面覆部３０、３１と同様な材質で形成しても良く意匠的効果を得るために別の材質及び色彩を用いても良い。但し、後述するように、ヘッドカバーをゴルフクラブから取り外す際に使用することより、ある程度強度を必要とする材質を選択することが望ましい。
また、周面覆部３０、３１の大きさについては、指が掛かれば良く指が全体挿入される大きさから、指先が少し掛かる大きさであっても良く、デザインとの兼ね合いから大きさを設定することが出来る。
【００１２】
更に、図面において、周面覆部３０、３１により形成する指掛孔部３０ａ、３１ａを、ヒール側に向かって設けている。このように指掛孔部をヒール側に向かって設けることで、指掛孔部３０ａ、３１ａに指を挿入し、クラブのトウ側に引き抜く力を有効に利用することが出来、ヘッドカバーをゴルフクラブから簡単に取り外すことが出来る。
また、指掛孔部３０ａ、３１ａを、ヒール側に向かって設けることは、一般にゴルフバック等はゴルフカートに乗せて移動する場合が多く、ゴルフクラブの先端のトウ側が重心の関係から下方に向く場合が多く、ヒール側に指掛孔部３０ａ、３１ａを設けると、指掛孔部３０ａ、３１ａに指を挿入し易く、ゴルフクラブを取り出し易いためであるが、向きは特に限定するものではない。即ち、指掛孔部３０ａ、３１ａの設ける位置はデザインとを考慮して、やや下方又は上方、若しくはトウ側の周面覆部３２に向けて設けても良いことは言うまでもない。
また、周面覆部３０、３１、３２は、図４に示すようにフェイス−トウ−フェイスと対向するクラブ背面とＵ字状に形成した周面覆部として説明したが、ゴルフクラブのフェイスとフェイスと対向するクラブ背面の２面を周面覆部３０、３１として構成し、クラウン覆部４０をソール覆部２０まで延長する構成としても良いことはいうまでもない。
【符号の説明】
【００１３】
１      ヘッドカバー本体
２０      ソール覆部
３０、３１、３２    周面覆部
３０ａ、３１ａ    指掛孔部
４０      クラウン覆部
５０      ネック覆部
６      ゴルフクラブのシャフト
【図１】
0003158802.tif 000003
【図２】
0003158802.tif 000004
【図３】
0003158802.tif 000005
【図４】
0003158802.tif 000006
【手続補正書】
【提出日】平成22年2月12日(2010.2.12)
【手続補正１】
【補正対象書類名】実用新案登録請求の範囲
【補正対象項目名】全文
【補正方法】変更
【補正の内容】
【実用新案登録請求の範囲】
【請求項１】
ヘッドカバー本体は、クラブヘッドのソール部からネック部を覆うソール覆部と、クラブヘッドのフェイス面からフェイス面と対向するクラブ背面にかけてそれぞれを覆う周面覆部と、クラブのトウ側からクラウンを経てネック部を覆うクラウン覆部と、クラブヘッドを固定するネック部、及びシャフト先端部を覆うネック覆部とよりなり、
周面覆部の一か所又は複数箇所の周面を外側に膨出する方向に形成した指掛孔部を設けたことを特徴とするゴルフクラブのヘッドカバー。
【請求項２】
前記指掛孔部を、フェイス面及びフェイス面と対向するクラブ背面の一方又は双方の周面覆部に設けたことを特徴とする請求項１に記載のゴルフクラブのヘッドカバー。
【請求項３】
前記周面覆部により形成する前記指掛孔部をヒール側に向かって設けたことを特徴とする請求項１又は２に記載のゴルフクラブのヘッドカバー。